(57)【要約】【課題】台座の安定感と信頼性を向上させ、足場を自在に組めるようにする。【解決手段】左右に相対する梯子体３・３を、Ｘ字形に交叉させたクロスバー４・４によって連結する。クロスバー４の一端は固定軸止めし、他端は脚部１に沿って移動可能に軸止めする。天板９は正方形とし、脚体３の一方上端に軸止めする。【作用】クロスバーの交叉角度を変えて梯子体３・３を開き、天板９を回転して水平に固定する。天板９の四方いずれにも、そして複数のツナギ天板１５を四方へ同時に連結できる。【選択図】　　図１
2004131925.tif 000002
【特許請求の範囲】
【請求項１】
二本の脚部間をステップによって連結して梯子体とし、その梯子体ふたつを左右に相対して向き合わせ、その左右の梯子体間にクロスバー二本をＸ字形に交叉させてかけ、クロスバーの上下端部の一方は脚部に固定軸止めとし、他方端部は脚部に沿って移動可能なように軸止めし、クロスバーの交叉角度を変えることによって左右ふたつの梯子体が近接離隔可能とし、脚部の上に載る天板は左右に相対するふたつの梯子体のいずれか一方の上端部に軸止めして、その軸を支点として回転可能としてなる折り畳み可能な足場用台座。
【請求項２】
クロスバーは、梯子体の脚部それぞれに交叉させて二対かけたことを特徴とする請求項１記載の折り畳み可能な足場用台座。
【請求項３】
梯子体の二本の脚部には、それぞれ伸縮脚部を摺動可能に収納し、二本の伸縮脚部間に渡した横桟状のものによって一体化し、二本の伸縮脚部を脚部に対して一体に伸縮させて高さ調整可能としてなる請求項１記載の折り畳み可能な足場用台座。
【請求項４】
脚部の上に載る天板の形状を正方形とし、ツナギ天板の幅を前記天板の一辺の幅と同じにし、前記天板のいずれの辺に対して別個に、或いは四辺全てにツナギ天板を連結可能としてなる折り畳み可能な足場用台座。
【発明の詳細な説明】
【０００１】
【発明の属する技術分野】
この発明は、主に建築作業現場などで使用される作業足場に関するものであって、特に折り畳めることが出来て収納や搬入が容易で、使用時には簡単に立脚可能な足場用台座に関するものである。
【０００２】
【従来の技術】
収納時などには折り畳んでおき、建築現場などで組み立てて使用される足場用台座は、その安定を確保することが極めて重要である。折り畳んだときは出来るだけ小さく折り畳め、使用する際には、開いた脚部がそれ以上開かないように強固に固定されていなければならない。このような広げた脚部間を固定して起立するためには、一方の脚部側から伸ばした固定バーを他方の脚部側に引掛けて固定する方式が、一般的な脚立などで採用されていた。つまりは固定バーは着脱式で、脚部を折り畳む際には、固定バーのいずれか一方の端部を外し、再び折り畳めるよう作業員が行う必要があった。
【０００３】
【発明が解決しようとする課題】
前記したような、着脱式の固定バーのような方式であると、作業員がこれを固定し忘れる恐れがある。また作業中の振動によってネジなどが外れる恐れもあり、足場としては極めて不充分な機構であると言わざるを得ない。
【０００４】
一般的な脚立などにおいては、前記したような固定バーは一本のみで、それも脚立のステップの間に掛け渡す方式のものが通常であった。つまり脚立の四本の脚部に対して、一個所しか、それも脚部以外の部分で固定バーを掛け渡していたので、脚部を直接支えておらず、脚部の安定を得るには不充分であった。
【０００５】
作業箇所が一部分でなく、或る程度長さが必要な場合、台座を複数台置いて、それら台座の間にツナギ天板を掛け渡して作業することがあった。具体的には、複数台の脚立を間隔を空けて置き、離れた脚立の上に板材をツナギ天板として配し、このツナギ天板の上を渡って作業するのが一般的であった。しかしながら、板材をただ置くだけでは落下する危険が高く、また脚立に対して四方どの方向からも確実にツナギ天板を連結する手段が存在しなかった。
【０００６】
【課題を解決するための手段】
この発明は以上のような課題を解決するためになされたもので、着脱式の固定バーでなく、一方側端を脚部に沿って移動可能に軸止めしてＸ字状に交叉させたクロスバーを掛け渡して、バーの着脱の必要なく折り畳み可能とするとともに、正方形の天板を使用して四方いずれにも、或いは四辺全てに同時にツナギ天板を連結可能とした折り畳み可能な足場用台座を提供することを目的とするものである。
【０００７】
【発明の実施の形態】
この発明にかかる折り畳み可能な足場用台座は、脚部を折り畳み可能なようにＸ字形に交叉させたクロスバーを使用するものであって、そのクロスバーの端部は着脱式でなく、一端部を軸止め固定し、他端部は脚部に沿って移動可能なように軸止めするものである。脚部二本の間を、水平に配したステップによって連結して梯子体としたものを、二つ使用するものである。各脚部としては鋼製の丸や角パイプが好適である。この梯子体ふたつを左右に向き合わせて相対して配し、その左右に相対した脚部間にクロスバーをかける。クロスバーは二本をＸ字状に交叉させるもので、上下端部のうち一方側端部は脚部に対して軸止め固定し、他方側端部は脚部に沿って移動可能なように軸止めする。例えば脚部の外周にスライド可能に筒を被せ、この筒に軸止めするなどして端部を移動可能にできる。この軸止めとは、ピンやボルトによって止めるもので、そのピンなどを支点にして回転可能となっていることを意味する。
【０００８】
ふたつの梯子体は、クロスバーの交叉角度を変えることにより、近接離隔可能となる。つまり、クロスバーの一端部が脚部に沿って移動可能に軸止めされているため、二本のクロスバーは自在にその交叉角度を変えることが可能となり、その動きによってふたつの梯子体は自在に近接離隔可能であるし、両者が離隔したときの角度も自在に変えることが可能である。しかし実際は、ふたつの梯子体は末広がり状に立脚してそれ以上開かないようにするため、ステップの取付け位置によって、クロスバーの移動可能な方の端部がそれ以上移動しないよう規制してある。クロスバーは、梯子体の両側にそれぞれ取付けてもよい。つまりは、二組の交叉したクロスバーによって梯子体を連結するもので、この方がガタつきが生じ難く、台座の座りは安定する。また各脚部にはそれぞれ伸縮脚部を取付けて、台座自体の高さを調整することも可能である。梯子体の二本の脚部に収納した伸縮脚部は、その間に横桟状のものを渡すことにより、脚部に対して伸縮脚部が回転しないようになり、またその横桟を動かすことにより、二本の伸縮脚部の脚部に対する伸縮長さを同時に調整できる。
【０００９】
脚部の上に載る天板は、その形状を正方形とすることができる。天板としてはデッキプレートなどが使用可能で、左右に相対するふたつの梯子体のいずれか一方の上端部に軸止めする。この軸を支点として天板は回転可能となるもので、脚部を折り畳むとき、天板を回転して脚部に沿って収納可能となっている。天板の四辺には、それぞれツナギ天板を連結するための連結手段を設けることができるもので、例えば各辺に段付ピンを取り付けておき、このピンにツナギ天板を引掛けるように連結してもよい。前記した天板を脚部に回転可能に軸止めするには、この段付きピンを軸止めにも利用出来る。また着脱可能な方の端部側の段付ピンには、段付ピンの中心を貫通し、その先端が段付ピン先端から出没可能なロック機構を設けておき、これが脚部の孔に嵌入することにより外れないようにすることも可能である。ツナギ天板には段付ピンを引掛ける切り欠きと、更に台座の天板との連結が外れないようにするロック機構を設けることもある。
【００１０】
以上のような折り畳み可能な足場用台座の使用方法を述べると、左右に相対する梯子体を開き、両者の間隔を広げる。スライドする側の端部は或る程度移動するとステップによってそれ以上動かなくなり、同時に両側の梯子体は末広がり状に立ち上がる。天板を回転して、他方側の梯子体の上に載せ、ロック機構により天板を水平に固定する。台座の高さを調整する場合には、伸縮脚部を伸ばすことにより高さ調整可能である。ツナギ天板を使用する場合は、台座を複数台、適宜間隔空けて立設し、その間にツナギ天板を渡す。ツナギ天板は、台座の天板の段付きピンにその切り欠きを引掛け、ロック機構によって固定する。台座の天板は正方形であるため、四方いずれにもツナギ天板を連結できる。そしてツナギ天板は、天板の四辺のうち、任意の複数の辺に同時に連結可能である。つまりは、従来はツナギ天板は台座の天板に重ねるように載せていたが、これだと多数枚のツナギ天板を重ねることができず、一方向或いは精々二方向からしかツナギ天板を渡すことしか出来なかった。しかし本願発明では、台座の天板の四辺にそれぞれ連結可能であるため、四辺のいずれへも同時にツナギ天板を連結可能となっている。
【００１１】
【実施例】
以下、図に示す実施例に基づきこの発明を詳細に説明する。図において１は脚部であって、丸パイプから成っている。この脚部１二本を平行に配して、その間を上下に配した水平なステップ２二本によって連結して、梯子体３が構成されている。この梯子体３ふたつが左右に相対して配され、Ｘ字状に交叉させた一対のクロスバー４・４によって連結されている。一対のクロスバー４・４は、上下中間より若干上方にて交叉し、その交叉部分が軸止めされている。クロスバー４の下端部は脚部１の下部に軸止めされており、上端部は脚部１の外周に摺動可能に挿嵌された筒状のスライダー５にそれぞれ軸止めされている。交叉させたクロスバー４は、梯子体３の左右脚部１・１にそれぞれ取付けられている。
【００１２】
四本の脚部１下部には、それぞれ伸縮脚部６が内嵌されており、梯子体３の左右平行の脚部１・１に内嵌した伸縮脚部６下端には、横桟状に両者を繋ぐウマ形の設置部７が渡されて固定されている。この設置部７が伸縮脚部６の廻り止めとなって、伸縮脚部６が脚部１に対して回転するなどということがない。脚部１の下部には、脚部１の側面に設けた孔を通って脚部１の内側に出没可能なピン８が取り付けられ、そのピン８が伸縮脚部６の側面に適宜間隔づつ空けて形成した孔に引掛け可能となっている。脚部１に対して伸縮脚部６を伸ばしてピン８によって固定することにより、台座の高さを調整できる。
【００１３】
左右の梯子体３の一方側上端部に、天板９が回転可能に取り付けられている。天板９は正方形であり、その四辺の左右にそれぞれ天板９側の径が一段小さくクビれた段付ピン１０が固定されている。各辺の段付ピン１０・１０が取り付けられた位置は、四辺全て同じとなっている。段付ピン１０を貫通する貫通ピン１１によって天板９の一端部が、梯子体３の左右脚部１・１に軸止めされている。天板９の他方側の段付ピン１０には、バネによって段付ピン１０先端から出没可能にロックピン１２が設けられており、他方の梯子体３の脚部１・１上端には孔１３が形成されている。１４は脚部１・１上端に設けられた天板９を支えるためのブラケットである。
【００１４】
以上のように構成した台座を立脚する場合、左右の梯子体３の間隔を広げる。クロスバー４のスライダー５に軸止めした先端は、脚部１に沿って下降し、クロスバー４・４の交叉角度が変り、左右の梯子体３・３間の間隔が開く。スライダー５がステップ２によって下降が止まると、左右の梯子体３・３は末広がり状に固定される。天板９を、貫通ピン１１を支点にして回転して水平にし、段付ピン１０から突出したロックピン１２を、もう一方の梯子体３上端の孔１３に嵌めて固定する。台座の高さを高くしたい場合には、伸縮脚部６を脚部１から引き出してピン８にて伸ばした長さを固定し、高さ調整できる。実施例では、横桟となる設置部７によって二本の脚部１・１が一体化されているため、この設置部７を引く、或いは押込めば、二本の伸縮脚部６・６の脚部１・１に対する長さを調整可能である。
【００１５】
図において１５はツナギ天板であって、その幅は台座の天板９の一辺と同じである。ツナギ天板１５の長手方向両端には、前記した台座の天板９の段付ピン１０・１０に対応する下向きの切り欠き１６・１６が形成されており、その間の左右には天板１５から受け部１７・１７が突出している。受け部１７の下面は、ツナギ天板の上面の延長面を成している。またツナギ天板１５の端部、幅方向中間にはＣ字形の連結部１８が回転可能に軸止めされている。連結部１８の左右には、バネによって出没可能なようにロックピン１９・１９が取り付けられている。台座の天板９の下面には、孔２０が形成されたブラケットが左右に固定されている。
【００１６】
台座にツナギ天板１５を連結する場合、ツナギ天板１５の切り欠き１６・１６を天板９の段付ピン１０・１０に引掛けて位置決めする。ツナギ天板１５の受け部１７・１７が天板１５の上面に載り、荷重を台座に伝える。連結部１８を回転して台座の天板９の下側に廻し、ロックピン１９・１９を孔２０・２０に係止して固定する。ツナギ天板１５は台座の天板９の四辺いずれにも、そして四辺へ同時にツナギ天板１５をそれぞれ連結可能であり、図１０のように自在にツナギ天板１５を渡すことが可能である。
【００１７】
以上の実施例では、梯子体３の二本の脚部１・１のスライダー５・５は一体化していないが、ふたつのスライダー５・５を、その間に渡したステップ２によって連結して一体化し、ふたつの梯子体３・３を開閉するとき、スライダー５・５とともにステップ２も脚部１・１に沿って上下動するようにしてもよい。この場合、脚部１・１の任意の位置にストッパーを予め固定しておき、梯子体３・３の開きを規制して固定するようにする。
【００１８】
【発明の効果】
この発明は以上のような構成を有しており、以下の効果を得ることができる。
▲１▼クロスバーの交叉角度を変えて左右に開き、天板を回転することにより、簡単に立脚、折り畳み可能である。
▲２▼一本のバーでなく、二本のクロスバーをＸ字形にクロスさせて左右の梯子体の脚部に直接連結したため、脚部をクロスバーによって多くの点にて支えるため、台座の安定感が増す。
▲３▼クロスバーは着脱式でなく、脚部に軸止めされているため、立脚したとき固定し忘れたり、作業中に外れることがなく、台座の信頼性は著しく高くなる。
▲４▼クロスバーを二組使用して左右の梯子体を連結すれば、脚部の安定感が更に増し、作業者に不安感を与えない。
▲５▼各脚部内に伸縮脚部を収納し、伸縮脚部を脚部に対して伸縮することにより台座の高さを調整可能である。
▲６▼梯子体の二本の脚部に収納した伸縮脚部を横桟状のもので連結することにより、脚部に対しる伸縮脚部の廻り止めとなり、また横桟状のものを引く、或いは押込むことにより二本同時に伸縮して台座の高さ調整が可能となる。
▲７▼天板を正方形にして、四方いずれの辺にもツナギ天板を連結可能とすることにより、足場を自在に組むことが可能となる。
▲８▼台座の天板の四辺にそれぞれツナギ天板を連結可能であり、台座に対して四方のいずれの方向にも同時にツナギ天板を連結して足場を組むことが可能となった。これにより現場の作業状況に応じた多彩な足場を組むことが可能である。
【図面の簡単な説明】
【図１】この発明にかかる折り畳み可能な足場用台座の一実施例の斜視図である。
【図２】その台座を開く状態の一部正面図である。
【図３】台座を折り畳んだ状態の正面図である。
【図４】天板の一部平面図である。
【図５】天板の側面図である。
【図６】天板をロックする機構の斜視図である。
【図７】伸縮脚部を伸ばした状態の斜視図である。
【図８】天板とツナギ天板を連結した状態の一部底面図である。
【図９】天板とツナギ天板を連結する状態の斜視図である。
【図１０】天板とツナギ天板を連結して足場を組んだ状態の平面図である。
【符号の説明】
１　脚部
２　ステップ
３　梯子体
４　クロスバー
５　スライダー
６　伸縮脚部
７　設置部
８　ピン
９　天板
１０　段付ピン
１１　貫通ピン
１２　ロックピン
１３　孔
１４　ブラケット
１５　ツナギ天板
１６　切り欠き
１７　受け部
１８　連結部
１９　ロックピン
２０　孔
【図１】
2004131925.tif 000003
【図２】
2004131925.tif 000004
【図３】
2004131925.tif 000005
【図４】
2004131925.tif 000006
【図５】
2004131925.tif 000007
【図６】
2004131925.tif 000008
【図７】
2004131925.tif 000009
【図８】
2004131925.tif 000010
【図９】
2004131925.tif 000011
【図１０】
2004131925.tif 000012